(57)【要約】【課題】組み付けが容易であるとともに、ヘッド部が良好に傾動し、ヘッド部が傾動した状態でも可動刃が良好に駆動する電気かみそりを提供する。【解決手段】電気かみそりは、二次電池４１が内蔵された把持部１２と把持部１２の上端部に傾動可能に設けられたヘッド部１３とを備える。ヘッド部１３には体毛を切除すべく往復駆動可能な内刃３０が設けられる。そして、把持部１２には、一次コイル４３が設けられる。又、ヘッド部１３には、一次コイル４３から電磁誘導により非接触で電力が伝達される二次コイル４４と、伝達された電力によって内刃３０を駆動するためのモータ４６とが設けられる。【選択図】図１
2011067419.tif 000002
【特許請求の範囲】
【請求項１】
電源が内蔵された把持部と、
前記把持部の上端部に設けられ、体毛を切除すべく駆動可能な可動刃が設けられたヘッド部と
を備えた電気かみそりであって、
前記把持部には、一次コイルが設けられ、
前記ヘッド部には、前記一次コイルから電磁誘導により非接触で電力が伝達される二次コイルと、伝達された電力によって前記可動刃を駆動するための駆動源とが設けられたことを特徴とする電気かみそり。
【請求項２】
請求項１に記載の電気かみそりにおいて、
前記ヘッド部は前記把持部の上端に傾動可能に設けられたことを特徴とする電気かみそり。
【請求項３】
請求項１又は２に記載の電気かみそりにおいて、
前記ヘッド部は、前記把持部に対して着脱自在に設けられたことを特徴とする電気かみそり。
【請求項４】
請求項１乃至３のいずれか１項に記載の電気かみそりにおいて、
前記駆動源は、コイルを有し磁界を発生させる磁界発生手段と、前記磁界発生手段による磁界の変化にて往復駆動するとともにその動力を前記可動刃に伝達する可動子とを備えたものであって、
前記二次コイルは、前記磁界発生手段のコイルを兼ねることを特徴とする電気かみそり。
【請求項５】
請求項１乃至４のいずれか１項に記載の電気かみそりにおいて、
前記把持部及び前記ヘッド部は、その対向部が樹脂材にて隙間無く覆われて防水構造とされたことを特徴とする電気かみそり。
【請求項６】
請求項１乃至５のいずれか１項に記載の電気かみそりにおいて、
前記ヘッド部の上端には体毛を導入可能な外刃が設けられ、
前記可動刃は、前記外刃の内部側に設けられ前記外刃内に導入された体毛を挟んで切除すべく往復駆動可能な内刃であることを特徴とする電気かみそり。
【発明の詳細な説明】
【技術分野】
【０００１】
本発明は、髭等の体毛を切除するための電気かみそりに関するものである。
【背景技術】
【０００２】
電気かみそりとしては、把持部の上端部にヘッド部が傾動可能に設けられ、そのヘッド部の上端に体毛を導入可能な外刃がヘッド部の前後方向に沿って複数並設され、前記外刃の内部側にそれぞれヘッド部の幅方向に沿って往復駆動可能で外刃内に導入された体毛を挟んで切除するための内刃（可動刃）が設けられたものがある。そして、このような電気かみそりとしては、ヘッド部に前記内刃を往復駆動するための駆動源が内蔵されたものがある。そして、このような電気かみそりでは、一般的に把持部に内蔵された電源（バッテリ）とヘッド部に内蔵された駆動源とが、把持部とヘッド部とに渡るリード線にて電気的に接続される（例えば、特許文献１参照）。
【先行技術文献】
【特許文献】
【０００３】
【特許文献１】特開２００３−９３７６５号公報
【発明の概要】
【発明が解決しようとする課題】
【０００４】
しかしながら、上記のようリード線を用いたものでは、その組み付けが複雑化してしまうという問題がある。特に、防水構造とする場合ではその組み付けの複雑化が顕著となる。
【０００５】
本発明は、上記課題を解決するためになされたものであって、その目的は、組み付けが容易となる電気かみそりを提供することにある。
【課題を解決するための手段】
【０００６】
上記課題を解決するために、請求項１に記載の発明では、電源が内蔵された把持部と、前記把持部の上端部に設けられ、体毛を切除すべく駆動可能な可動刃が設けられたヘッド部とを備えた電気かみそりであって、前記把持部には、一次コイルが設けられ、前記ヘッド部には、前記一次コイルから電磁誘導により非接触で電力が伝達される二次コイルと、伝達された電力によって前記可動刃を駆動するための駆動源とが設けられたことを要旨とする。
【０００７】
同構成によれば、把持部の一次コイルからヘッド部の二次コイルに電磁誘導により非接触で電力が伝達され、その伝達された電力によって駆動源にて可動刃が駆動されるため、把持部とヘッド部とに渡るリード線が不要となり、リード線を用いたものに比べて、組み付けが容易となる。
【０００８】
請求項２に記載の発明では、請求項１に記載の電気かみそりにおいて、前記ヘッド部は前記把持部の上端に傾動可能に設けられたことを要旨とする。
同構成によれば、請求項１に記載の構成にてリード線が不要となるため、リード線（その撓む際に必要となる力等）がヘッド部の傾動の負荷となりヘッド部が傾動し難くなってしまうといった問題を回避でき、リード線を用いたものに比べて、ヘッド部が良好に傾動し易くなる。しかも、駆動源は全体がヘッド部に設けられるため、ヘッド部が把持部に対して傾動した状態でも、例えば、把持部に磁界発生手段（駆動源の一部）を設け、ヘッド部に前記磁界発生手段による磁界の変化にて駆動することで可動刃を駆動する可動子（駆動源の一部）を設けた場合のように駆動源内（磁界発生手段と可動子間）で磁気的な位置関係がずれるといったことがなく、その位置関係のずれに基づいて可動刃の往復駆動の振幅が小さくなってしまう等の不具合が発生しない。
【０００９】
請求項３に記載の発明では、請求項１又は２に記載の電気かみそりにおいて、前記ヘッド部は、前記把持部に対して着脱自在に設けられたことを要旨とする。
同構成によれば、把持部とヘッド部とに渡るリード線が不要であることに加え、ヘッド部が把持部に対して着脱自在に設けられることから、例えば、ヘッド部のメンテナンスや交換（同じ種類の新しいヘッド部への交換や、異なる種類のヘッド部への交換）を容易に行うことができる。
【００１０】
請求項４に記載の発明では、請求項１乃至３のいずれか１項に記載の電気かみそりにおいて、前記駆動源は、コイルを有し磁界を発生させる磁界発生手段と、前記磁界発生手段による磁界の変化にて往復駆動するとともにその動力を前記可動刃に伝達する可動子とを備えたものであって、前記二次コイルは、前記磁界発生手段のコイルを兼ねることを要旨とする。
【００１１】
同構成によれば、二次コイルは、駆動源における磁界発生手段のコイルを兼ねるため、部品点数を低減できるとともに、ヘッド部の小型化を図ることができる。
請求項５に記載の発明では、請求項１乃至４のいずれか１項に記載の電気かみそりにおいて、前記把持部及び前記ヘッド部は、その対向部が樹脂材にて隙間無く覆われて防水構造とされたことを要旨とする。
【００１２】
同構成によれば、把持部及びヘッド部は、その対向部が樹脂材にて隙間無く覆われて防水構造とされるため、リード線を用いたものに比べて簡単な構成で、水洗い等が可能となる等、清掃が容易となる。又、濡らしてもよいため、その取り扱いが容易となる。又、リード線を用いたものに比べて、防水の信頼性を高くすることができる。
【００１３】
請求項６に記載の発明では、請求項１乃至５のいずれか１項に記載の電気かみそりにおいて、前記ヘッド部の上端には体毛を導入可能な外刃が設けられ、前記可動刃は、前記外刃の内部側に設けられ前記外刃内に導入された体毛を挟んで切除すべく往復駆動可能な内刃であることを要旨とする。
【００１４】
同構成によれば、外刃内に導入された体毛が往復駆動可能な内刃に挟まれて切除される例えば髭用の電気かみそりにおいて、請求項１乃至５のいずれか１項に記載の発明の効果を得ることができる。
【発明の効果】
【００１５】
本発明によれば、組み付けが容易となる電気かみそりを提供することができる。
【図面の簡単な説明】
【００１６】
【図１】本実施形態における電気かみそりの模式正面図。
【図２】毛髪用のヘッド部が組み付けられた電気かみそりの模式正面図。
【図３】別例における電気かみそりの模式正面図。
【発明を実施するための形態】
【００１７】
以下、本発明を具体化した一実施の形態を図１に従って説明する。
図１に示すように、本実施の形態の髭用の電気かみそり１１は、使用者が把持可能な把持部１２と、該把持部１２の上端部に傾動可能に設けられたヘッド部１３とを備える。本実施の形態のヘッド部１３は、例えば、把持部１２の上端から突出するアーム部１２ａの先端に回動自在に連結されることで、前後方向（剃り方向であって図１中、紙面直交方向）に沿う軸を中心とする左右傾動動作と、幅方向（図１中、左右方向）に沿う軸を中心とする前後傾動動作の各動作をすることが可能とされている。又、本実施の形態のヘッド部１３は、例えば、図示しないスナップフィット等の係止部によって、前記把持部１２（例えばそのアーム部１２ａ）に対して着脱自在に設けられている。又、本実施の形態では、把持部１２及びヘッド部１３（詳しくはそのヘッドケース１３ａ）は、その（上下方向の）対向部が樹脂材にて隙間無く覆われて該部分が防水構造とされている。
【００１８】
ヘッド部１３の上端、詳しくはヘッドケース１３ａの上端開口部には、体毛を導入可能な外刃２０がヘッド部１３の前後方向（図１中、紙面直交方向）に沿って複数（図１中、１つのみ図示する）並設されている。又、ヘッド部１３において、各外刃２０の内部側にはそれぞれ前記ヘッド部１３の幅方向（図１中、左右方向）に沿って往復駆動可能で外刃２０内に導入された体毛を挟んで切除するための可動刃としての内刃３０（図１中、１つのみ図示する）が設けられている。尚、外刃２０は、図示しない樹脂支持枠に固定されて該樹脂支持枠と共に外刃ブロックを構成し、その樹脂支持枠がヘッドケース１３ａに対して所定の範囲で上下動可能に支持されるとともに図示しないばねにて上方に付勢されることで、上方からの圧力にて下動可能に設けられている。又、内刃３０は、図示しない樹脂支持枠に固定されて該樹脂支持枠と共に内刃ブロックを構成し、その樹脂支持枠が前記幅方向に沿って往復駆動可能な後述する可動子３１に連結されて設けられている。
【００１９】
ここで、前記把持部１２には、電源としての二次電池４１が内蔵されるとともに、該二次電池４１に送電回路４２を介して接続された一次コイル４３が内蔵されている。この把持部１２では、図示しない操作スイッチの操作に基づいて送電回路４２から一次コイル４３に高周波電圧が供給されることで、該一次コイル４３にて磁力線が発生されるようになっている。
【００２０】
一方、ヘッド部１３には、前記一次コイル４３から電磁誘導により非接触で電力が伝達される二次コイル４４と、該二次コイル４４及び受電回路４５を介して伝達される電力によって前記可動子３１、ひいては内刃３０を往復駆動する駆動源としてのモータ４６とが内蔵されている。尚、このモータ４６は、可動子３１を直接往復駆動するリニアモータであってもよいし、まず回転子を回転させその回転力を動力変換機構にて変換して可動子３１を往復駆動するものであってもよい。
【００２１】
このように構成された電気かみそり１１では、図示しない操作スイッチの操作に基づいて把持部１２の一次コイル４３からヘッド部１３の二次コイル４４に電磁誘導により非接触で電力が伝達され、その伝達された電力によってモータ４６にて内刃３０が往復駆動され、外刃２０内に導入された体毛が挟まれて切除される。
【００２２】
次に、上記実施の形態の特徴的な作用効果を以下に記載する。
（１）把持部１２の一次コイル４３からヘッド部１３の二次コイル４４に電磁誘導により非接触で電力が伝達され、その伝達された電力によってモータ４６にて内刃３０が駆動されるため、把持部１２とヘッド部１３とに渡るリード線が不要となり、リード線を用いたものに比べて、組み付けが容易となる。
【００２３】
（２）ヘッド部１３は把持部１２の上端に傾動可能に設けられたものであり、リード線が不要となるため、リード線（その撓む際に必要となる力等）がヘッド部の傾動の負荷となりヘッド部が傾動し難くなってしまうといった問題を回避でき、リード線を用いたものに比べて、ヘッド部１３が良好に傾動し易くなる。しかも、モータ４６は全体がヘッド部１３に設けられるため、ヘッド部１３が把持部１２に対して傾動した状態でも、例えば、モータ４６内で磁気的な位置関係がずれるといったことがなく、その位置関係のずれに基づいて内刃３０の往復駆動の振幅が小さくなってしまう等の不具合が発生しない。即ち、例えば、把持部にモータの磁界発生手段を設けヘッド部にモータの可動子を設けた場合では、把持部に対してヘッド部が傾動した状態となると、磁界発生手段と可動子との磁気的な位置関係がずれてしまい、例えば、可動子の往復駆動の振幅が小さくなってしまうといった虞があるが、これを回避することができる。よって、ヘッド部１３が傾動した状態でも内刃３０を良好に駆動させることができる。
【００２４】
（３）把持部１２とヘッド部１３とに渡るリード線が不要であることに加え、ヘッド部１３が把持部１２に対して着脱自在に設けられることから、例えば、ヘッド部１３のメンテナンスや交換（同じ種類の新しいヘッド部１３への交換や、異なる種類のヘッド部への交換）を容易に行うことができる。例えば、図２に示すように、可動子３１に連結される可動刃が前記内刃３０に換えてバリカン可動刃５１とされ、ヘッドケース５２にはバリカン固定刃５３が設けられた毛髪用のヘッド部５４への交換を容易に行うことができる。
【００２５】
（４）把持部１２及びヘッド部１３は、その対向部が樹脂材にて隙間無く覆われて防水構造とされるため、リード線を用いたものに比べて簡単な構成で、水洗い等が可能となる等、清掃が容易となる。又、濡らしてもよいため、その取り扱いが容易となる。又、リード線を用いたものに比べて、防水の信頼性を高くすることができる。
【００２６】
上記実施の形態は、以下のように変更してもよい。
・上記実施の形態では、二次コイル４４とモータ４６とが分離して設けられるヘッド部１３（５４）としたが、図３に示すヘッド部６０に変更してもよい。即ち、図３に示すように、駆動源を、磁界を発生させる磁界発生手段６１と、磁界発生手段６１による磁界の変化にて往復駆動するとともにその動力を内刃３０に伝達する可動子６２とを備えたリニアモータ６３とし、一次コイル４３から電磁誘導により非接触で電力が伝達される二次コイル６４が前記磁界発生手段６１のコイルを兼ねるものとしてもよい。このように構成された電気かみそり６５では、図示しない操作スイッチの操作に基づいて把持部１２の一次コイル４３からヘッド部６０の二次コイル６４に電磁誘導により非接触で電力が伝達されるとともに、同時に磁界発生手段６１（二次コイル６４）にて磁界が発生され、その磁界の変化にて可動子６２及び内刃３０が往復駆動される。このようにすると、二次コイル６４は、駆動源における磁界発生手段６１のコイルを兼ねるため、部品点数を低減できるとともに、ヘッド部６０の小型化を図ることができる。
【００２７】
・上記実施の形態では、ヘッド部１３は把持部１２の上端に傾動可能に設けられるとしたが、これに限定されず、例えば、ヘッド部１３を把持部１２の上端に上下方向に（フロート）移動可能に設けてもよいし、上下方向の直交方向に（スライド）移動可能に設けてもよい。
【００２８】
・上記実施の形態では、ヘッド部１３が把持部１２に対して着脱自在に設けられるとしたが、これに限定されず、ヘッド部１３を把持部１２に対して取り外し不能に設けた構成に変更してもよい。
【００２９】
・上記実施の形態では、把持部１２及びヘッド部１３は、その対向部が樹脂材にて隙間無く覆われて防水構造とされるとしたが、これに限定されず、防水構造でない把持部及びヘッド部としてもよい。
【符号の説明】
【００３０】
１２…把持部、１３，５４，６０…ヘッド部、２０…外刃、３０…内刃（可動刃）、４１…二次電池（電源）、４３…一次コイル、４４，６４…二次コイル、４６…モータ（駆動源）、５１…バリカン可動刃（可動刃）、６１…磁界発生手段、６２…可動子、６３…リニアモータ（駆動源）。
【図１】
2011067419.tif 000003
【図２】
2011067419.tif 000004
【図３】
2011067419.tif 000005